(57)【特許請求の範囲】
【請求項１】
円形の係合孔を有し、この係合孔に径方向のスリットを有する板材と、この板材とは別部材にして、フック部と係留片部とが前記係合孔の径よりも幅の狭い首部で連続する板状の係合片とよりなり、この係合片は、フック部の横幅および係留片部の横幅がともに係合孔の径よりも大であるが、係留片部の横幅は係合孔の径にスリットの長さを加えた長さ以下であり、前記係留片部はスリットと係合孔を通して板材の裏側に臨んで係合し、フック部に商品が吊り下げられる商品展示板。
【請求項２】
円形の係合孔を有する板材と、この板材とは別部材にして、フック部と係留片部とが前記係合孔の径よりも幅の狭い首部で連続し、若干弾性を有する素材よりなる板状の係合片とよりなり、この係合片は、フック部の横幅および係留片部の横幅がともに係合孔の径よりも大であるが、前記係合片は係留片部の横幅は係合孔の径よりも大であるが、係留片部は係合孔に挿入される際に撓められることにより横幅が小となって係合孔を通過し、板材の裏側にて係留片部が適度に弾性復元して板材の裏面に係合し、フック部に商品が吊り下げられる商品展示板。
【請求項３】
フック部と略円形状の係留片部が幅の狭い首部で連続する板状のものであって、前記係留片部を板材の係合孔に挿入してフック部に商品を吊り下げるための係合片。
【請求項４】
若干弾性を有する素材よりなり、係留片部の横幅は係合孔の径よりも大であるが、係留片部は係合孔に挿入される際に撓められることにより横幅が小となって係合孔を通過し、板材の裏側にて係留片部が適度に弾性復元して板材の裏面に係合することができるようにした請求項３に記載の係合片。
【発明の詳細な説明】
【０００１】
【発明の属する技術分野】
本発明は板材の前面に商品を吊り下げて展示する商品展示板およびその係合片に関する。
【０００２】
【従来の技術とその問題点】
商品を吊り下げて展示するタイプの従来の商品展示板には、図９、１０に示すようにボール紙等の厚紙よりなる板材２０の適所に、上開きの切起こし片２１を形成し、この切起こし片に商品２２の吊り下げ用の孔２３を掛けて吊り下げるタイプのものがある。
【０００３】
このような従来の展示板では、切起こし片２１を板材２０の裏側からいちいち指で前面側に押し出して商品をセットしなければならず、しかも商品の脱落を確実に防止するには商品をセットした後に切起こし片を粘着テープ等で板材の切起こし片の上方部分に貼り付ける必要がある。
【０００４】
また、殆どの買い物客は商品を引っ張って取るが、この際、引き起こし片が破れて取れてしまうことがあり、引き起こし片が取れた板材の部分は見た目に体裁が悪く、商品の購買意欲を損なうことがある。
【０００５】
上述した展示板の他にも板材の前面にＬ字状のフックを有し、このフックに商品を吊り下げるようにした展示板もあるが、フックそのものの製造コストが嵩むとともにフックを板材に取り付ける手間が掛かるので、コスト高であり、しかもフックを取り付けた状態では嵩張り、運搬や保管のスペースが大となるという問題もある。
【０００６】
【目的】
本発明の目的とするところは、商品の取り付けが簡単で低コストであり、しかも商品を取り外す際に板材が破れて体裁を損なうようなおそれがまずない商品展示板およびその係合片を提供することにある。
【０００７】
【本発明の構成】
上述した目的を達成するために、本発明に係る商品展示板は、円形の係合孔を有し、この係合孔に径方向のスリットを有する板材と、この板材とは別部材にして、フック部と係留片部とが前記係合孔の径よりも幅の狭い首部で連続する板状の係合片とよりなり、この係合片は、フック部の横幅および係留片部の横幅がともに係合孔の径よりも大であるが、係留片部の横幅は係合孔の径にスリットの長さを加えた長さ以下であり、前記係留片部はスリットと係合孔を通して板材の裏側に臨んで係合し、フック部に商品が吊り下げられる構成のものとしてある。
【０００８】
また、本発明の商品展示板は、円形の係合孔を有する板材と、この板材とは別部材にして、フック部と係留片部とが前記係合孔の径よりも幅の狭い首部で連続し、若干弾性を有する素材よりなる板状の係合片とよりなり、この係合片は、フック部の横幅および係留片部の横幅がともに係合孔の径よりも大であるが、前記係合片は係留片部の横幅は係合孔の径よりも大であるが、係留片部は係合孔に挿入される際に撓められることにより横幅が小となって係合孔を通過し、板材の裏側にて係留片部が適度に弾性復元して板材の裏面に係合し、フック部に商品が吊り下げられる構成のものとしてある。
【００１０】
本発明に係る係合片は、フック部と略円形状の係留片部が幅の狭い首部で連続する板状のものであって、前記係留片部を板材の係合孔に挿入してフック部に商品を吊り下げるためのものとしてある。
【００１１】
また、前記係合片は若干弾性を有する素材よりなり、係留片部の横幅は係合孔の径よりも大であるが、係留片部は係合孔に挿入される際に撓められることにより横幅が小となって係合孔を通過し、板材の裏側にて係留片部が適度に弾性復元して板材の裏面に係合することができるようにした構成のものとしてある。
【００１２】
【実施例】
以下、本発明の実施例を添付図面に示す具体例に基づいて詳細に説明する。
本発明の商品展示板は、展示板本体たる板材１と、この板材に商品を吊り下げる係合片２とよりなり、図１に示されるように板材１には多数の係合孔３、３をあけてあり、また係合片２は図２に示されるように略三角形状のフック部４と略円形状の係留片部５を有し、係留片部５を板材１の係合孔３に挿入して板材の裏面に係合させ、フック部４にて商品を吊り下げる構成のものとしてある。
【００１３】
前記板材１は例えばボール紙や合成樹脂板よりなり、図３に拡大して示すように係合孔３の上縁に径方向のスリット６を形成してある。
このスリットは前記係合片２を挿通させるためのものであり、板材１がボール紙等のある程度の柔軟性を有するものであればスリットは単なる切り込みとすればよく、硬質の合成樹脂板等の柔軟性があまりないものであれば、スリットの幅を係合片の厚さと同程度か若干広く形成する。
【００１４】
前記係合片２はボール紙や合成樹脂製の板状のものとしてあり、略三角形状のフック部４と略円形状の係留片部５は首部７で連結している。
なお、図１中の符号１ａは板材１を壁や棚等に取り付けるための吊り下げ紐を示す。
【００１５】
次ぎに、係合孔３と係合片２の寸法関係について図２、３および係合状態を示す図４に基づいて説明する。
係合片２はその係留片部５が係合孔３に挿通されて板材１の裏面に係合するので、係留片部５の横幅Ｒを係合孔３の径ｒよりも大とし、かつ首部７の幅Ｎを係合孔の径ｒより小とする。また、係留片部５は係合孔とスリット６を通して板材の裏面に挿通せしめるので、係留片部５の横幅Ｒを係合孔の径にスリットの長さを加えた長さＬと同じかこれよりも小とする。
【００１６】
すなわち、係合孔３の径にスリット６の長さを加えた長さＬ、係留片部５の横幅Ｒ、係合孔３の径ｒおよび首部７の幅Ｎの関係は、
Ｌ≧Ｒ＞ｒ＞Ｎ
とする。
【００１７】
また、フック部４の横幅Ｗは商品にあけられた吊り下げ用の孔の径よりも大とし、係留片部５の横幅Ｒは商品にあけた吊り下げ用の孔の径よりも小とする。
【００１８】
次ぎに、上述した構成の本発明の商品展示板に商品を取り付ける具体例を図５に基づいて説明する。
まず、係合片２をその横幅方向が上下となるようにして係留片部５を商品８の上部にあけた吊り下げ用の孔９に挿通し、さらに係留片部５を係合孔３とスリット６を通して板材１の裏側に臨ませる。
【００１９】
係留片部５が係合孔を通過して首部７が係合孔の位置に来たら、係合片２をその挿通方向まわりに９０度回転させる。
かくすると、係留片部５の横幅Ｒが係合孔３の径ｒよりも小であるから、係留片部５が板材１の裏面に係合し、また、商品８は吊り下げ用の孔９がフック部４における左右の上縁に係合して安定よろしく吊り下げられる。
【００２０】
商品を取り外す際には、係合片２を再び９０度回転させ、係留片部５の側縁をスリットに合わせて引き出せばよく、係合片を例えば薄手のボール紙のように裂断し易い素材のものとして、商品を手前に引っ張ると係合片が首部で裂断されて商品が板材から外れるようにする場合もある。
【００２１】
上述した実施例においては、スリット６を係合孔の上縁から径方向に形成したが、スリットの長さと係合孔の径の和Ｌが係留片部５の横幅Ｒ以上であれば、図６に示すように２つのスリット６ａ、６ｂを係合孔の上縁と下縁からそれぞれ径方向に形成する場合もあるし、また、スリットを形成する方向は上下でなく斜め方向や横方向に形成する場合もある。
【００２２】
以上の実施例においては、係合孔３にスリットを形成することによって係合片２の係留片部５を係合孔に挿入できるようにしてあるが、図７に示すように係合孔３にスリットを設けない場合もある。
【００２３】
この場合には係合片２を若干弾性を有する素材、例えばボール紙や薄手の合成樹脂材で構成し、係留片部５は係合孔３に挿入される際に撓められることにより横幅が小となって係合孔を通過させられ、板材１の裏側にて係留片部が弾性復元力により元の横幅に戻されて係合する。
【００２４】
また、係合孔にスリットを設けない他の例として、図８に示すように板材１に長径（縦幅）ｒ１が上下方向となる楕円形やあるいは長円形の係合孔１０を形成し、長径ｒ１は係留片部５の横幅Ｒよりも大であるが、短径（横幅）ｒ２は係留片部の横幅Ｒよりも小とする場合もあり、係合片２を係合孔１０に挿入する際には、係合片をその横幅が係合孔の上下方向すなわち係合孔の長径の方向となるようにして係留片部５を係合孔に挿入し、その後係合片を９０度回転させ、係留片部を係合孔の横方向すなわち短径の方向となるようにして係留片部を板材の裏側に係止する。
【００２５】
なお、本発明に係る展示板の係合片２や係合孔３の形状は上述した実施例の形状のものに限定されるものではなく、例えば係合片２の首部７を上下方向に長く形成する場合もあれば、フック部４を横長の矩形状に形成したり、あるいは係留片部５を楕円形や矩形等の多角形に形成したりする場合もある。
【００２６】
【発明の効果】
本発明によれば、係合片の係留片部を商品の吊り下げ用孔と板材にあけた係合孔に挿通し、係留片部を板材の裏面に係合せしめることによって商品を取りけるので、従来のもののように商品を取り付ける前にいちいち切起こし片を引き起こすような手間が不要で商品の取り付けが簡単であり、しかも商品はフック部に確実に係止され、粘着テープ等で補強しなくても商品を安定よろしく吊り下げておくことができる。
【００２７】
また、展示板から商品を引っ張って取り外しても、板材と係合片は別部材で構成してあるので、商品を強く引っ張ると係合片が変形して係合孔から外れるか、あるいは係合片が裂断するので、係合孔まわりの板材が破れて体裁が損なわれるおそれがまずない。
【００２８】
さらに、板材や係合片は構造が簡単で低コストに製造することができ、しかもフラットな形状のものであるので、運搬や保管、廃棄の際に嵩張らず、取り扱いが容易であるというメリットもある。
【図面の簡単な説明】
【図１】本発明に係る展示板における板材の実施例を示す正面図。
【図２】本発明に係る展示板における係合片の実施例を示す正面図。
【図３】係合孔を拡大して示す板材の正面図。
【図４】係合孔と係合片の係合状態を示す斜視図。
【図５】本発明の展示板に商品を取り付ける状態を示す斜視図。
【図６】係合孔の他の例を示す正面図。
【図７】係合孔のさらに他の例を示す正面図。
【図８】係合孔のさらに他の例を示す正面図。
【図９】従来の展示板の一例を示す斜視図。
【図１０】図９のＸ−Ｘ線縦断面図。
【符号の説明】
１  板材
２  係合片
３  係合孔
４  フック部
５  係留片部
６  スリット
７  首部
８  商品
９  商品吊り下げ用の孔
１０  係合孔
【図１】
0003581328.tif 000002
【図２】
0003581328.tif 000003
【図３】
0003581328.tif 000004
【図４】
0003581328.tif 000005
【図５】
0003581328.tif 000006
【図６】
0003581328.tif 000007
【図７】
0003581328.tif 000008
【図８】
0003581328.tif 000009
【図９】
0003581328.tif 000010
【図１０】
0003581328.tif 000011